(57)【要約】【課題】電子機器の小型化薄型化を実現する。【解決手段】携帯端末装置１は、開口部２４が形成された筐体と、サイドキー５０とを有する。携帯端末装置１の筐体は、フロントケース２０とリアケース３０とが接合されてなる。サイドキー５０は、携帯端末装置１の筐体の開口部２４から露出し且つ押下可能な押下面と、押下面から立ち上がる側面と、押下面から立ち上がる側面に形成された凹部５１とを有する。凹部５１には、リアケース３０に設けられた凸部３１が挿入される。【選択図】図６
2013247655.tif 000002
【特許請求の範囲】
【請求項１】
開口部が形成された筐体と、
前記筐体の開口部から露出し且つ押下可能な押下面と、前記押下面から立ち上がる側面と、前記側面に形成され且つ周辺部品の有する凸部が挿入される凹部と、押子とを有するキーと、
前記押子が当接することで動作するスイッチと、を備えた電子機器であって、
前記キーは、
前記凹部の前記スイッチ寄りの内壁と前記凸部とが当接し、かつ前記押子と前記スイッチとが当接しない第一の状態と、
前記凹部の前記スイッチ寄りの内壁と前記凸部とが当接せず、かつ前記押子と前記スイッチとが当接する第二の状態と、
の間で移動可能に設けられたことを特徴とする電子機器。
【請求項２】
前記凹部の形状が異なる複数の前記キーを有する、
請求項１に記載の電子機器。
【請求項３】
前記筐体は、第１のケースと第２のケースとが接合されてなり、
前記第１のケースは、底板部と、前記底板部から前記第２のケース側に起立し且つ前記開口部が形成された側壁部と、前記底板部から離れた前記側壁部の面に横たわり且つ前記底板部及び前記側壁部と共に前記開口部を規定する梁部とを具備する、
請求項１又は２に記載の電子機器。
【請求項４】
前記筐体は、第１のケースと第２のケースとが接合されてなり、
前記第１のケースは、底板部と、前記底板部から前記第２のケース側に起立し且つ前記開口部が形成された側壁部と、前記底板部から前記第２のケース側に、前記側壁部と相対して起立し、且つ、前記側壁部側の面と当該面の反対側の面とを貫通する貫通孔が形成された保持部とを具備し、
前記キーの前記押子は、前記貫通孔に挿入され、
前記電子機器は、前記貫通孔に挿入される他の凹部と、前記貫通孔の周辺の前記保持部の面と当接するフランジとを有する封止部材を更に具備し、
前記キー本体と前記フランジとの第１の離間距離は、前記押下面側の前記凹部の面と前記開口部側の前記周辺部品の前記凸部の面との第２の離間距離よりも大きい、
請求項１又は２に記載の電子機器。
【発明の詳細な説明】
【技術分野】
【０００１】
本発明は、電子機器に関する。
【背景技術】
【０００２】
従来、例えば携帯端末装置などの電子機器は、筐体を有し、この筐体には、操作部としてのキーが設けられる。このキーの形状は、例えば、直方体であり、ユーザによって押下される面（以下では、「押下面」と呼ばれることがある）の反対側に位置する面（以下では、「奥面」と呼ばれることがある）から外側にはみ出るように、フランジが設けられる。そして、キーは、ケースに設けられた開口部から押下面が露出するように、ケースの内側から開口部に嵌め込まれる。このとき、フランジがケース等の周囲部品に当接して引っ掛かる。これにより、キーが開口部から押下面の方向に抜け出てしまうことを防止することができる。一般的には、落下等による衝撃が加わった際も抜けないようにするために、フランジと周辺部品とが接する面の面積を広くするように工夫される。具体的には、奥面を規定する辺の内の２辺以上にフランジが設けられたり、又は、フランジの奥面からはみ出す長さが長くされる。
【先行技術文献】
【特許文献】
【０００３】
【特許文献１】特開２０１０−２２０９６３号公報
【発明の概要】
【発明が解決しようとする課題】
【０００４】
ところで、携帯端末装置などの電子機器は、小型化、薄型化、軽量化が望まれている。
【０００５】
しかしながら、キーの奥面からはみ出るように設けられたフランジは、小型化薄型化の妨げとなっている。すなわち、キーが占有する空間を小さくするには、キー本体の大きさを小さくすることも考えられる。しかし、キー本体はユーザが指で操作する対象であるので、操作性の観点から、一定以上の大きさであることが要求される。このため、キー本体の大きさを小さくすることはできない。従って、キーのフランジの分だけ余計な空間が必要となり、電子機器の小型化薄型化の妨げとなっている。
【０００６】
開示の技術は、かかる点に鑑みてなされたものであって、小型化薄型化を実現する、電子機器を提供することを目的とする。
【課題を解決するための手段】
【０００７】
開示の態様では、開口部が形成された筐体と、前記筐体の開口部から露出し且つ押下可能な押下面と、前記押下面から立ち上がる側面と、前記側面に形成され且つ周辺部品の有する凸部が挿入される凹部と、押子とを有するキーと、前記押子が当接することで動作するスイッチと、を備えた電子機器であって、前記キーは、前記凹部の前記スイッチ寄りの内壁と前記凸部とが当接し、かつ前記押子と前記スイッチとが当接しない第一の状態と、前記凹部の前記スイッチ寄りの内壁と前記凸部とが当接せず、かつ前記押子と前記スイッチとが当接する第二の状態と、の間で移動可能に設けられる。
【発明の効果】
【０００８】
開示の態様によれば、薄型化小型化を実現できる。
【図面の簡単な説明】
【０００９】
【図１】図１は、一実施例の携帯端末装置の前面側の外観を示す斜視図である。
【図２】図２は、一実施例の携帯端末装置の裏面側の外観を示す斜視図である。
【図３】図３は、サイドキーが挿入された状態のフロントケースのサイドキー挿入部の周辺における部分拡大図である。
【図４】図４は、サイドキーが挿入されていない状態のフロントケースのサイドキー挿入部の周辺における部分拡大図である。
【図５】図５は、サイドキーの斜視図である。
【図６】図６は、図２に示したＩ−Ｉ断面を模式的に示す図である。
【図７】図７は、サイドキーが押下された状態の、図２に示したＩ−Ｉ断面を模式的に示す図である。
【図８】図８は、サイドキーに形成される凹部の位置及び形状のバリエーションを示す図である。
【図９】図９は、サイドキーに形成される凹部の位置及び形状のバリエーションを示す図である。
【図１０】図１０は、サイドキーが挿入された状態のフロントケースのサイドキー挿入部の周辺における部分拡大図である。
【図１１】図１１は、サイドキーが挿入されていない状態のフロントケースのサイドキー挿入部の周辺における部分拡大図である。
【発明を実施するための形態】
【００１０】
以下に、本願の開示する電子機器の一実施例を図面に基づいて詳細に説明する。なお、この実施例により本願の開示する電子機器が限定されるものではない。例えば、以下の実施例では、電子機器の一例として携帯端末装置を挙げて説明するが、これに限らず、スマートフォン、ＰＣ（Personal  Computer）又はＰＤＡ（Personal  Digital  Assistant）などの電子機器であれば以下の実施例を適用することができる。
【００１１】
図１は、一実施例の携帯端末装置の前面側の外観を示す斜視図である。また、図２は、一実施例の携帯端末装置の裏面側の外観を示す斜視図である。図１及び図２に示す携帯端末装置１は、液晶保護パネル１０と、フロントケース２０と、リアケース３０と、フロントキー４０と、サイドキー５０，６０とを有している。
【００１２】
液晶保護パネル１０は、携帯端末装置１の内部に設けられた液晶パネルを覆っており、中央部分の表示領域において、液晶パネルに表示される画像を透過させることにより、種々の画像を表示する。すなわち、液晶保護パネル１０は、液晶パネルとともに携帯端末装置の表示部を形成している。
【００１３】
フロントケース２０は、携帯端末装置１の前面側、つまり表示部側の筐体を形成し、液晶パネルを支持するとともに、この液晶パネルを覆う位置には液晶保護パネル１０が取り付けられるようになっている。
【００１４】
リアケース３０は、携帯端末装置１の裏面側の筐体を形成し、フロントケース２０と接合されることにより、携帯端末装置全体の外側形状を規定している。
【００１５】
サイドキー５０，６０は、例えば、合成樹脂や金属メッキが施された合成樹脂などから形成されている。また、サイドキー５０，６０は、フロントケース２０から外側へ露出し、押下されることにより携帯端末装置１に所定の機能を実行させる。具体的には、サイドキー５０は、電源キーであり、携帯端末装置１の電源のＯＮ／ＯＦＦを操作する際に用いるキーである。また、サイドキー６０は、アップ／ダウンキーであり、例えば携帯端末装置１の受話音量を上げる又は下げる操作を行う際に用いるキーである。
【００１６】
フロントキー４０は、例えば、合成樹脂や金属メッキが施された合成樹脂などから形成されている。また、フロントキー４０は、フロントケース２０の下端部に設けられ、押下されることにより携帯端末装置１に所定の機能を実行させる。すなわち、フロントキー４０及びサイドキー５０，６０は、操作部として機能する。
【００１７】
図３は、サイドキーが挿入された状態のフロントケースのサイドキー挿入部の周辺における部分拡大図である。図４は、サイドキーが挿入されていない状態のフロントケースのサイドキー挿入部の周辺における部分拡大図である。図５は、サイドキーの斜視図である。図６は、図２に示したＩ−Ｉ断面を模式的に示す図である。
【００１８】
フロントケース２０は、底板部２６と、底板部２６からリアケース３０側、つまり携帯端末装置１の裏面側に向けて起立する側壁部２１とを有している。側壁部２１のリアケース３０側の面には、側壁部２１に沿うように梁部２２が設けられている。また、側壁部２１には、開口部２４が設けられる。開口部２４は、側壁部２１と梁部２２とによって規定される。
【００１９】
また、フロントケース２０は、側壁部２１と所定の離間距離を空けた位置に、底板部２６からリアケース３０側に向けて起立する壁状の保持部２３を有する。保持部２３には、開口部２４の側から筐体の奥側に向けて貫通する貫通孔２８が形成される。貫通孔２８には、キーラバー７０が挿入される。
【００２０】
キーラバー７０は、透明又は半透明の弾性材料（例えばゴムやシリコン材料）などから形成されている。キーラバー７０は封止部材であり、キーラバー７０によって携帯端末装置１の防水性防塵性が確保される。また、キーラバー７０は、凹部７１と、フランジ７２とを有している。キーラバー７０は、凹部７１の底面が筐体の奥側に位置するように、貫通孔２８に挿入される。フランジ７２は、キーラバー７０が貫通孔２８に挿入されたとき、貫通孔２８周辺の保持部２３の側壁と当接する。これにより、キーラバー７０が貫通孔２８の奥に深く入り過ぎることを防止できる。凹部７１には、サイドキー５０が挿入される。
【００２１】
サイドキー５０は、凹部５１と、延出部５２と、キー本体５３とを有している。サイドキー５０は延出部５２を保持部２３に向けて開口部２４から挿入され、延出部５２が凹部７１に挿入される。この結果、延出部５２の先端面と凹部７１の底部７３とが当接する。このとき、キー本体５３と、キーラバー７０のフランジ７２とは、距離ｂだけ離間している。
【００２２】
凹部５１は、キー本体５３の押下面の側面に設けられる。そして、凹部５１には、リアケース３０の凸部３１が挿入される。これにより、凹部５１の奥側の面が凸部３１に引っかかるので、サイドキー５０が開口部２４から外側に抜け出ることを防止できる。このとき、凸部３１の開口部２４側の面と、凹部５１を規定する押下面側の面とは、距離ｃだけ離間している（状態１）。
【００２３】
基板８０は、フロントケース２０及びリアケース３０によって挟持されている。基板８０には、スイッチ９０が取り付けられるとともに、携帯端末装置１を動作させる回路が形成されている。
【００２４】
スイッチ９０は、キーラバー７０の底部７３と対向し底部７３と距離ａだけ離れた位置に配置される押下部９１を有している。サイドキー５０が押下された場合には、キーラバー７０の凹部７１を介して、サイドキー５０の延出部５２がスイッチ９０の押下部９１を押下する。この結果、基板８０上の回路は、押圧されたスイッチ９０に対応する機能、ここでは電源のＯＮ又はＯＦＦを実行する。
【００２５】
図７は、サイドキーが押下された状態の、図２に示したＩ−Ｉ断面を模式的に示す図である。
【００２６】
サイドキー５０の押下面を携帯端末装置１の筐体の奥側へ押し込んでいくと、凸部３１の開口部２４側の面と、凹部５１を規定する押下面側の面とが当接したとき、又は、当接するまでの間に、サイドキー５０の延出部５２によってスイッチ９０の押下部９１が押下される（状態２）。すなわち、距離ａ＜距離ｃである（条件１）が成立する。また、押下部９１が押下されるまでの間にキー本体５３がキーラバー７０のフランジ７２に当接してしまうと、スイッチ９０のＯＮＯＦＦが阻害されてしまう。そのため、距離ａ＜距離ｂである（条件２）も成立する。また、このとき距離a＜距離ｃ＜距離ｂ（条件３）が満たされることにより、キーラバー７０のフランジ７２がキー本体５３によって押されることはない。従って、スイッチ９０のＯＮＯＦＦが阻害されることを防止できると共に、キーラバー７０の劣化を防止できる。この結果、携帯端末装置１の防水性防塵性を保つことができる。
【００２７】
また、凹部５１を規定する押下面側の面が、凸部３１の開口部２４側の面に引っ掛かると、サイドキー５０がそれ以上奥側に押し込まれることがない。従って、距離Ｌをスイッチ９０の押下部９１の許容可動距離で表すと、距離ａ＋距離Ｌ≧距離ｃである（条件４）を成立させることにより、過度の押し込みによるスイッチ９０の破損を防止できる。
【００２８】
以上のように本実施例によれば、携帯端末装置１において、サイドキー５０は、押下面から立ち上がる側面に形成され且つリアケース３０に設けられた凸部３１が挿入される凹部５１を有する。
【００２９】
こうすることで、サイドキー５０の抜けを防止できると共に、サイドキー５０の厚さの中でサイドキー５０がリアケース３０と引っ掛かる部分の面積を確保できるので、従来のようなフランジが不要となり携帯端末装置１の小型化薄型化を実現できる。また、凹部５１は、肉盗み構造にもなるので、押下面に現れるヒケを防止することができる。
【００３０】
また、フロントケース２０は、底板部２６から離れた側壁部２１の面に横たわり且つ底板部２６及び側壁部２１と共に開口部２４を規定する梁部２２を具備する。
【００３１】
こうすることで、フロントケース２０とリアケース３０とが接合される前にサイドキー５０が挿入される開口部２４の四辺が規定される。これにより、梁部２２がガイドの役割をするので、サイドキー５０の開口部２４への挿入がスムーズとなり、組み立て工程を効率化することができる。また、梁部２２を設けたことにより、側壁部２１の強度を補強することができる。
【００３２】
また、キー本体５３とフランジ７２との離間距離ｂは、押下面側の凹部５１の面と開口部２４側の凸部３１の面との離間距離ｃよりも大きい。
【００３３】
こうすることで、キーラバー７０のフランジ７２がキー本体５３によって押されることはないので、スイッチ９０のＯＮＯＦＦが阻害されることを防止できると共に、キーラバー７０の劣化を防止できる。この結果、携帯端末装置１の防水性防塵性を保つことができる。
【００３４】
なお、以上の説明では、図５に示されるように、凹部５１が押下面から立ち上がる側面の中央部に設けられることを前提に説明を行ったが、これに限定されるものではない。凹部５１は、例えば、図８に示すように、押下面から立ち上がる複数の側面の内の隣接する２つの面の間の辺を切り欠いた切り欠き部であってもよい。要するに、凹部５１の側面内における位置、及び、形状は、特に限定されない。図８は、サイドキーに形成される凹部の位置及び形状のバリエーションを示す図である。
【００３５】
また、以上の説明では、サイドキー５０に関して主に説明を行ったが、サイドキー５０の構成はサイドキー６０及びフロントキー４０に適用することができる。このとき、サイドキー５０、サイドキー６０、及びフロントキー４０に設けられる凹部の位置又は形状をそれぞれ異ならせてもよい。すなわち、図５に示すサイドキー５０と、図９に示すサイドキー６０とを組み合わせてもよい。こうすることで、ペア以外の凸部と凹部とは上手く嵌まらないので、設置すべきキーを間違えた場合には確実に気付くことができる。従って、誤った組み立てを防止することができる。図９は、サイドキーに形成される凹部の位置及び形状のバリエーションを示す図である。
【００３６】
また、以上の説明では、凹部５１に挿入されるものをリアケース３０に設けられた凸部３１としたが、これに限定されるものではなく、例えば回路基板やシールドケースやフロントケース２０に設けられた凸部又は突起部であってもよい。要するに、凹部５１に挿入されるものは、周辺部品の一部（具体的には、凸部又は突起部）であればよい。
【００３７】
また、以上の説明では、側壁部２１と梁部２２とが別部材であるものとして説明を行った（図３、４）。しかしながら、これに限定されるものではなく、側壁部２１と梁部２２とが一体に形成されていてもよい（図１０、１１）。
【００３８】
以上、本実施例を含む実施の形態に関し、更に以下の付記を開示する。
【００３９】
（付記１）開口部が形成された筐体と、
前記筐体の開口部から露出し且つ押下可能な押下面と、前記押下面から立ち上がる側面と、前記側面に形成され且つ周辺部品の有する凸部が挿入される凹部と、押子とを有するキーと、
前記押子が当接することで動作するスイッチと、を備えた電子機器であって、
前記キーは、
前記凹部の前記スイッチ寄りの内壁と前記凸部とが当接し、かつ前記押子と前記スイッチとが当接しない第一の状態と、
前記凹部の前記スイッチ寄りの内壁と前記凸部とが当接せず、かつ前記押子と前記スイッチとが当接する第二の状態と、
の間で移動可能に設けられたことを特徴とする電子機器。
【００４０】
（付記２）前記凹部の形状が異なる複数の前記キーを有する、付記１に記載の電子機器。
【００４１】
（付記３）前記筐体は、第１のケースと第２のケースとが接合されてなり、
前記第１のケースは、底板部と、前記底板部から前記第２のケース側に起立し且つ前記開口部が形成された側壁部と、前記底板部から離れた前記側壁部の面に横たわり且つ前記底板部及び前記側壁部と共に前記開口部を規定する梁部とを具備する、
付記１又は付記２に記載の電子機器。
【００４２】
（付記４）前記筐体は、第１のケースと第２のケースとが接合されてなり、
前記第１のケースは、底板部と、前記底板部から前記第２のケース側に起立し且つ前記開口部が形成された側壁部と、前記底板部から前記第２のケース側に、前記側壁部と相対して起立し、且つ、前記側壁部側の面と当該面の反対側の面とを貫通する貫通孔が形成された保持部とを具備し、
前記キーの前記押子は、前記貫通孔に挿入され、
前記電子機器は、前記貫通孔に挿入される他の凹部と、前記貫通孔の周辺の前記保持部の面と当接するフランジとを有する封止部材を更に具備し、
前記キー本体と前記フランジとの第１の離間距離は、前記押下面側の前記凹部の面と前記開口部側の前記周辺部品の前記凸部の面との第２の離間距離よりも大きい、
付記１又は付記２に記載の電子機器。
【００４３】
（付記５）前記周辺部品は、前記第２のケースである、
付記３又は付記４に記載の電子機器。
【符号の説明】
【００４４】
１  携帯端末装置
１０  液晶保護パネル
２０  フロントケース
２１  側壁部
２２  梁部
２３  保持部
２４  開口部
２６  底板部
２８  貫通孔
３０  リアケース
３１  凸部
４０  フロントキー
５０，６０  サイドキー
５１，７１  凹部
５２  延出部
５３  キー本体
７０  キーラバー
７２  フランジ
７３  底部
８０  基板
９０  スイッチ
９１  押下部
【図１】
2013247655.tif 000003
【図２】
2013247655.tif 000004
【図３】
2013247655.tif 000005
【図４】
2013247655.tif 000006
【図５】
2013247655.tif 000007
【図６】
2013247655.tif 000008
【図７】
2013247655.tif 000009
【図８】
2013247655.tif 000010
【図９】
2013247655.tif 000011
【図１０】
2013247655.tif 000012
【図１１】
2013247655.tif 000013